(57)【要約】【課題】 生産者別に持ち込まれる農産物を選別仕分けした後に所定の分類で箱詰めし、該箱詰めされた農産物について製品箱単位で生産者情報等の情報を管理することができて、消費者の声等を生産活動に的確に反映可能な農産物選別施設における情報管理装置を提供する。【解決手段】  トレイ上に載せられて選別コンベア上を搬送される農産物を計測して仕分区分別に貯留コンベア上に仕分排出すると共に製品箱に箱詰めして送り出す農産物選別施設における情報管理装置であって、貯留コンベア上に仕分排出される農産物について、少なくとも個数と荷口情報及び仕分情報からなる情報を記憶する情報記憶手段と、当該貯留コンベア上の農産物を箱詰めする際に、該貯留コンベア上の農産物が箱詰めされる製品箱の箱番号と情報記憶手段に記憶された情報とを対応させて記憶管理する箱詰情報管理手段を備える。【選択図】  図１
2005125242.tif 000002
【特許請求の範囲】
【請求項１】
トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、
前記仕分区分別に製品箱に箱詰めされた農産物の少なくとも生産者情報を、当該農産物が箱詰めされた製品箱毎に記憶管理可能な箱詰情報管理手段を備えたことを特徴とする農産物選別施設における情報管理装置。
【請求項２】
トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、
前記貯留コンベア上に仕分排出される農産物について、少なくとも個数と荷口情報及び仕分情報からなる情報を記憶する情報記憶手段と、当該貯留コンベア上の農産物を箱詰めする際に、該貯留コンベア上の農産物が箱詰めされる製品箱の箱情報と前記情報記憶手段に記憶された情報とを対応させて記憶管理する箱詰情報管理手段とを備えたことを特徴とする農産物選別施設における情報管理装置。
【請求項３】
前記情報記憶手段は、トレイ情報と荷口情報とを対応させて記憶する荷口情報記憶手段と、前記トレイ情報と仕分情報とを対応させて記憶する仕分情報記憶手段と、前記トレイ情報と製品箱の箱情報とを対応させて記憶する箱情報記憶手段とを備え、前記箱詰情報管理手段は、トレイ情報に基づいて荷口情報、仕分情報及び箱情報を対応させて、箱情報から箱内の農産物の仕分情報及び荷口情報を記憶管理することを特徴とする請求項２に記載の農産物選別施設における情報管理装置。
【請求項４】
前記箱詰情報管理手段は、貯留コンベア上に仕分排出される農産物の少なくとも個数、荷口情報、仕分情報について、農産物が選別コンベア上から貯留コンベア上に仕分排出される順番に記憶し、前記製品箱の箱情報と製品箱内の区画位置情報及び農産物の仕分情報と荷口情報とを対応させて記憶管理することを特徴とする請求項２または３に記載の農産物選別施設における情報管理装置。
【請求項５】
トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、
トレイ情報と荷口情報及び仕分情報を対応させて記憶する情報記憶手段と、農産物入りトレイを仕分区分別に貯留コンベアに仕分排出する仕分排出手段と、仕分区分別に排出された農産物入りトレイのトレイ情報を読み取り、このトレイ情報と対応して荷口情報と仕分情報とを前記情報記憶手段から読み出し、箱詰する際に、該読み出した荷口情報と仕分情報とを製品箱の箱情報と対応させて記憶管理する箱詰情報管理手段とを備えたことを特徴とする農産物選別施設における情報管理装置。
【請求項６】
トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、
前記トレイは、その上に載せられる農産物の荷口情報及び仕分情報を記憶する情報記憶手段を有すると共に、前記貯留コンベア上に仕分排出された農産物を箱詰めする際に、当該貯留コンベア上の農産物が箱詰めされる製品箱の箱情報と前記情報記憶手段に記憶された情報とを対応させて記憶管理する箱詰情報管理手段を備えたことを特徴とする農産物選別施設における情報管理装置。
【請求項７】
前記箱詰情報管理手段は、前記貯留コンベア上にプールされた農産物入りトレイについて箱詰め単位毎に箱詰め指示番号を付与し、前記貯留コンベアから箱詰位置に所定数の農産物入りトレイを送り出す際に、前記箱詰め指示番号と組み合わせて出力する箱詰指示信号に基づいて箱詰めの指示を行うことを特徴とする請求項１ないし６のいずれかに記載の農産物選別施設における情報管理装置。
【請求項８】
前記箱詰情報管理手段は、製品箱毎の箱情報と製品箱内の区画位置情報及び前記農産物の仕分情報と荷口情報とを対応させて記憶管理することを特徴とする請求項１ないし７のいずれかに記載の農産物選別施設における情報管理装置。
【請求項９】
前記箱詰情報管理手段は、製品箱の区画位置情報に基づいて、製品箱内の農産物の仕分情報及び生産者情報を整理票として作製する整理票作製手段を有することを特徴とする請求項１ないし８のいずれかに記載の農産物選別施設における情報管理装置。
【請求項１０】
前記箱詰情報管理手段は、製品箱の外側に製品箱内の農産物の個々の仕分情報及び生産者情報をラベル貼付けもしくは直接印字により付設する情報付設手段を有することを特徴とする請求項１ないし９のいずれかに記載の農産物選別施設における情報管理装置。
【発明の詳細な説明】
【技術分野】
【０００１】
本発明は、例えばトマト、桃、梨、リンゴ等の農産物を等級別階級別に選別仕分けして箱詰め包装出荷する農産物の選別施設において好ましく用いられるもので、箱内に収容される農産物の情報（荷口情報や仕分情報等）を製品箱単位で管理できる農産物選別施設における情報管理装置に関する。
【背景技術】
【０００２】
従来、農産物の集・出荷場あるいは農産物を選別して包装（箱詰め）出荷する農産物の選果場での作業は、農産物の所定の仕分区分（等級別階級別）で分類分けして品質の揃った農産物を包装出荷するための選別仕分包装作業と、分類分けされた農産物の評価データ（等級・階級）を生産者毎に集計する作業（生産者に対する代価精算処理作業）とがあり、代価精算のための計数処理が終了した農産物は、所定の仕分区分（等級階級別）で分類されて自動箱詰めあるいは手詰めで段ボール箱に箱詰めされる。
【０００３】
そして、この農産物が箱詰めされた製品箱（段ボール箱）は、農産物の名称（品目）、品種、等級、階級、数量（重量）、選果場名等が、段ボール箱の側面や上面に直接印字あるいはラベルに印刷されて貼付されて、各地の市場や消費地に向けて出荷されるようになっている。なお、農産物の選果場において、荷口情報を記憶する荷口情報記憶手段と、検出した仕分情報とトレイの固有情報とをリンクさせて記憶する仕分情報記憶手段とを備え、各記憶手段に記憶されているトレイの固有情報に基づいて各荷口別に農産物の仕分情報を集計するようにした選別装置が例えば特許文献１に開示されている。
【特許文献１】特開２０００−５２７号公報
【発明の開示】
【発明が解決しようとする課題】
【０００４】
しかしながら、上記従来方式における選果場での作業によると、生産者の代価精算処理が終了した農産物は、同じ仕分区分毎に箱詰めされるため、箱詰めされた製品箱には、「名称（品目）、品種、等級、階級、数量（重量）、選果場名」等が表示されるが、例えば生産者についての情報は何等表示されることがない。この理由としては、従来の選果場において、通常荷口の管理は評価データを得るまでとしていたため、それ以降については特に管理することはしていない。したがって、選果場から出荷後の市場や消費地において、仮に製品箱内に不具合が生じていた場合に、選果場の等級・階級までは追跡可能だとしても、それ以上の追跡範囲を広げて生産者を特定すること等は不可能であると共に、逆に各生産者が消費者の声を直接聞くことが困難で、生産活動に消費者の意見を反映させることが不可能である。
【０００５】
ところで、近時、野菜や果実等の農産物あるいは食品等について、その生産履歴等を明らかにすることが求められつつあるが、農産物を生産者個々に選別包装して出荷する場合には、各生産者の情報を比較的容易に付与できるものの、各生産者から持ち込まれた農産物を一つの選果場で大量に処理する場合においては、当該選果場で各生産者の情報を製品箱毎に管理することが困難である。なお、これらの問題点は、製品箱についての管理がなされていない前記特許文献１に開示の選別装置を使用した選果場においても同様のことが言える。
【０００６】
本発明は、このような事情に鑑みてなされたもので、その目的は、生産者別に持ち込まれる農産物を選別仕分けした後に所定の分類で箱詰めし、該箱詰めされた農産物について製品箱単位で生産者情報等の情報を管理することができて、消費者の声等を生産活動に的確に反映可能な農産物選別施設における情報管理装置を提供することにある。
【課題を解決するための手段】
【０００７】
かかる目的を達成すべく、本発明のうち請求項１に記載の発明は、トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、前記仕分区分別に製品箱に箱詰めされた農産物の少なくとも生産者情報を、当該農産物が箱詰めされた製品箱毎に記憶管理可能な箱詰情報管理手段を備えたことを特徴とする。
【０００８】
また、請求項２に記載の発明は、トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、前記貯留コンベア上に仕分排出される農産物について、少なくとも個数と荷口情報及び仕分情報からなる情報を記憶する情報記憶手段と、当該貯留コンベア上の農産物を箱詰めする際に、該貯留コンベア上の農産物が箱詰めされる製品箱の箱情報と前記情報記憶手段に記憶された情報とを対応させて記憶管理する箱詰情報管理手段とを備えたことを特徴とする。
【０００９】
また、請求項３に記載の発明は、前記情報記憶手段が、トレイ情報と荷口情報とを対応させて記憶する荷口情報記憶手段と、前記トレイ情報と仕分情報とを対応させて記憶する仕分情報記憶手段と、前記トレイ情報と製品箱の箱情報とを対応させて記憶する箱情報記憶手段とを備え、前記箱詰情報管理手段は、トレイ情報に基づいて荷口情報、仕分情報及び箱情報を対応させて、箱情報から箱内の農産物の仕分情報及び荷口情報を記憶管理することを特徴とする。
【００１０】
また、請求項４に記載の発明は、前記箱詰情報管理手段が、貯留コンベア上に仕分排出される農産物の少なくとも個数、荷口情報、仕分情報について、農産物が選別コンベア上から貯留コンベア上に仕分排出される順番に記憶し、前記製品箱の箱情報と製品箱内の区画位置情報及び農産物の仕分情報と荷口情報とを対応させて記憶管理することを特徴とする。
【００１１】
また、請求項５に記載の発明は、トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、トレイ情報と荷口情報及び仕分情報を対応させて記憶する情報記憶手段と、農産物入りトレイを仕分区分別に貯留コンベアに仕分排出する仕分排出手段と、仕分区分別に排出された農産物入りトレイのトレイ情報を読み取り、このトレイ情報と対応して荷口情報と仕分情報とを前記情報記憶手段から読み出し、箱詰する際に、該読み出した荷口情報と仕分情報とを製品箱の箱情報と対応させて記憶管理する箱詰情報管理手段とを備えたことを特徴とする。
【００１２】
また、請求項６に記載の発明は、トレイ上に載せられて選別コンベア上を搬送される農産物を計測し、該計測した結果に基づいて前記農産物を選別コンベアの搬送路に沿って仕分区分別に配置された貯留コンベア上に仕分排出し、該仕分排出された貯留コンベア上の農産物を箱詰位置で仕分区分別に製品箱に箱詰めして送り出す農産物選別施設における情報管理装置であって、前記トレイは、その上に載せられる農産物の荷口情報及び仕分情報を記憶する情報記憶手段を有すると共に、前記貯留コンベア上に仕分排出された農産物を箱詰めする際に、当該貯留コンベア上の農産物が箱詰めされる製品箱の箱情報と前記情報記憶手段に記憶された情報とを対応させて記憶管理する箱詰情報管理手段を備えたことを特徴とする。
【００１３】
また、請求項７に記載の発明は、前記箱詰情報管理手段が、前記貯留コンベア上にプールされた農産物入りトレイについて箱詰め単位毎に箱詰め指示番号を付与し、前記貯留コンベアから箱詰位置に所定数の農産物入りトレイを送り出す際に、前記箱詰め指示番号と組み合わせて出力する箱詰指示信号に基づいて箱詰めの指示を行うことを特徴とする。
【００１４】
また、請求項８に記載の発明は、前記箱詰情報管理手段が、製品箱毎の箱情報と製品箱内の区画位置情報及び前記農産物の仕分情報と荷口情報とを対応させて記憶管理することを特徴とする。
【００１５】
また、請求項９に記載の発明は、前記箱詰情報管理手段が、製品箱の区画位置情報に基づいて、製品箱内の農産物の仕分情報及び生産者情報を整理票として作製する整理票作製手段を有することを特徴とする。
【００１６】
また、請求項１０に記載の発明は、前記箱詰情報管理手段が、製品箱の外側に製品箱内の農産物の個々の仕分情報及び生産者情報をラベル貼付けもしくは直接印字により付設する情報付設手段を有することを特徴とする。
【発明の効果】
【００１７】
先ず、請求項１に記載の発明によれば、貯留コンベアの仕分区分別に箱詰めされた農産物の少なくとも生産者情報が、箱詰情報管理手段によって当該農産物が箱詰めされた製品箱毎に記憶管理されるため、例えば市場に出荷された製品箱に関する情報から、内部に収容されている農産物の生産者情報等を取得（把握）できる情報管理が可能となって、消費者の声等を農産物の生産活動に的確に反映することができる。
【００１８】
また、請求項２に記載の発明によれば、箱詰情報管理手段に、情報記憶手段に記憶されている少なくとも個数、荷口情報及び仕分情報と、貯留コンベア上の農産物が箱詰めされる製品箱の箱情報とが対応して記憶され、貯留コンベア上の農産物を箱詰めする際に、荷口情報や仕分情報が製品箱毎に記憶管理されるため、製品箱に関する情報から内部に収容されている農産物の生産者情報等を取得できる情報管理が可能となって、消費者の声等を農産物の生産活動に的確に反映することができる。
【００１９】
また、請求項３に記載の発明によれば、請求項２に記載の発明の効果に加え、箱詰情報管理手段が、荷口情報記憶手段、仕分情報記憶手段及び箱情報記憶手段を備え、トレイ情報に基づいて荷口情報、仕分情報及び箱情報が対応して記憶管理されるため、箱情報から箱内の農産物の仕分情報及び荷口情報を確実かつ容易に取得できて、製品箱に箱詰される農産物の効率的な情報管理を行うことができる。
【００２０】
また、請求項４に記載の発明によれば、請求項２または３に記載の発明の効果に加え、箱詰情報管理手段が、農産物を選別コンベア上から貯留コンベア上に仕分排出する順番に当該農産物の情報を記憶する情報記憶手段を有し、製品箱の箱情報と製品箱内の区画位置情報及び農産物の仕分情報と荷口情報とが対応して記憶管理されるため、製品箱の各区画位置に収容される各農産物の荷口情報等を管理することができて、例えば製品箱内の所定の区画位置に収容されている農産物の荷口情報等を容易に取得することができる。
【００２１】
また、請求項５に記載の発明によれば、箱詰情報管理手段が農産物を箱詰する際に、仕分区分別に排出された農産物入りトレイのトレイ情報を読み取り、この読み取ったトレイ情報と対応して荷口情報と仕分情報とを情報記憶手段から読み出し、該読み出した荷口情報と仕分情報とが製品箱の箱情報と対応して記憶管理されるため、荷口情報や仕分情報を製品箱毎に管理できて、製品箱に関する情報から内部に収容されている農産物の生産者情報等を取得できる情報管理が可能となって、消費者の声等を農産物の生産活動に的確に反映することができる。
【００２２】
また、請求項６に記載の発明によれば、箱詰情報管理手段により、貯留コンベア上の農産物が箱詰めされる製品箱の箱情報とトレイに付設された情報記憶手段の荷口情報や仕分情報とが対応して記憶管理されるため、貯留コンベア上に仕分排出された農産物を箱詰めする際に、荷口情報や仕分情報を製品箱毎に管理できて、製品箱に関する情報から内部に収容されている農産物の生産者情報等を取得できる情報管理が可能となって、消費者の声等を農産物の生産活動に的確に反映することができる。
【００２３】
また、請求項７に記載の発明によれば、請求項１ないし６に記載の発明の効果に加え、箱詰情報管理手段が、貯留コンベアから箱詰位置に所定数の農産物入りトレイを送り出す際に、箱詰包装単位毎に付与した箱詰め指示番号と組み合わせて出力される箱詰指示信号を用いるため、所定数の農産物入りトレイを箱詰位置に供給して確実に箱詰めできると共に、複数の農産物入りトレイを一括して処理できて、箱詰め動作の制御を簡略化することができる。
【００２４】
また、請求項８に記載の発明によれば、請求項１ないし７に記載の発明の効果に加え、箱詰情報管理手段が、製品箱毎の箱情報と製品箱内の区画位置情報と農産物の仕分情報と荷口情報とを対応して記憶管理するため、製品箱の箱情報から、箱内の所定の区画位置に収容されている農産物の荷口情報等を容易にかつ確実に取得することができる。
【００２５】
また、請求項９に記載の発明によれば、請求項１ないし８に記載の発明の効果に加え、箱詰情報管理手段が、製品箱の区画位置情報に基づいて、製品箱内の農産物の仕分情報及び生産者情報を整理票として作製する整理票作製手段を有するため、整理票作製手段で作製される整理票により、製品箱内の所定の区画位置に収容されている農産物の荷口情報等を一層容易にかつ確実に取得することができる。
【００２６】
また、請求項１０に記載の発明によれば、請求項１ないし９に記載の発明の効果に加え、箱詰情報管理手段が、製品箱の外側に製品箱内の農産物の個々の仕分情報及び生産者情報をラベル貼付けもしくは直接印字により付設する情報付設手段を有するため、情報付設手段で付設される製品箱外部の情報により、製品箱の輸送・運搬中等に製品箱内の農産物の荷口情報等を容易に取得することができる。
【発明を実施するための最良の形態】
【００２７】
以下、本発明の実施の形態を図面に基づいて詳細に説明する。
図１〜図６は、本発明に係わる農産物選別施設における情報管理装置の第１の実施形態を示し、図１が該情報管理装置を使用した農産物選別施設の概略構成図、図２がその箱詰装置部分を拡大した構成図、図３及び図４がその動作を説明するためのフローチャート、図５及び図６がその説明図である。
【００２８】
図１において、選果場等の農産物選別施設１は、農産物Ｗ（図２参照）が載せられるトレイ２（農産物入りトレイ２という）を上流側から下流側に向けて矢印イの如く搬送する選別コンベア３を有し、この選別コンベア３の上流側に接続される例えば２条の供給コンベア３ａ、３ｂの計測位置には、トレイ２上の農産物Ｗを計測する計測装置４が配置されている。また、選別コンベア３の下流側の仕分位置には、仕分区分別にそれぞれ排出装置５を有する複数条の貯留コンベア６が複数列接続配置され、各列の貯留コンベア６の下流側の箱詰位置には、箱詰装置７が配置されるかあるいは手詰め部８が設けられている。
【００２９】
そして、前記計測装置４の直上流側と直下流側には、各供給コンベア３ａ、３ｂに対応してバーコードリーダ９、１０がそれぞれ配置されると共に、選別コンベア３の仕分位置の上流側（最始端側）にもバーコードリーダ１１が配置されている。前記バーコードリーダ９は、供給コンベア３ａ、３ｂ上のトレイ２のトレイ情報としてのバーコード２２（図７参照）を読み取りその情報を荷口情報入力装置１３に出力し、また前記バーコードリーダ１０は、計測装置４で計測された農産物入りトレイ２のバーコード２２を読み取りその情報を演算処理装置１４に出力するようになっている。また、前記バーコードリーダ１１は、計測された農産物入りトレイ２のバーコード２２を読み取りその情報を仕分制御装置１５に出力するようになっている。
【００３０】
前記計測装置４は、トレイ２上の農産物Ｗに光を照射しその反射光や透過光等によって当該農産物Ｗの外観や内部品質等を撮像することで画像データを得るように構成され、この計測装置４の画像データが演算処理装置１４に入力されて適宜に処理されることにより、当該農産物Ｗの等級や階級等の仕分情報が判定（計測）されるようになっている。なお、演算処理装置１４は、ＣＰＵ等の演算処理部（図示せず）を有して、例えばインターネットでアクセス可能な農産物選別施設１のホストコンピュータ等のデータベース１６及び前記仕分制御装置１５が接続されており、演算処理されたデータ（等級や階級）がこれらに送信（出力）されるようになっている。
【００３１】
また、前記供給コンベア３ａの所定位置には、作業者によって選別コンベア３に供給される農産物Ｗの荷口名（生産者）等の荷口情報を入力するための操作盤１７が配置されている。そして、この操作盤１７で入力された荷口情報が、前記荷口情報入力装置１３に入力されると共に、荷口情報入力装置１３から荷口情報に関するデータが前記データベース１６に送信されるようになっている。なお、この荷口情報入力装置１３、演算処理装置１４及び仕分制御装置１５が接続される前記データベース１６は、図示しないＣＰＵ等の制御部とハードディスク、ＲＡＭ等の記憶部１６ａ（図５参照）を有している。
【００３２】
そして、仕分制御装置１５は、前記データベース１６に接続されると共に、箱詰制御装置１８（箱詰情報管理手段）に双方向通信可能に接続され、この箱詰制御装置１８、データベース１６、仕分制御装置１５、前記荷口情報入力装置１３、演算処理装置１４等によって本発明の情報管理装置１２が構築されている。
【００３３】
前記箱詰制御装置１８は、図示しないＣＰＵ等からなる制御部と、ＲＡＭ、ＲＯＭ等からなる記憶部を有し、前記箱詰位置に設けられ段ボール箱等の製品箱２０に予め付設されたラベル２１の情報（箱番号という）を読み取るバーコードリーダ１９が接続されると共に、その出力端子から出力される制御信号によって、箱詰装置７及びカタログ作製機２３（整理票作製手段）の作動を制御するようになっている。
【００３４】
箱詰装置７や手詰め部８の下流側には、製品箱搬送コンベア２４が接続され、この製品箱搬送コンベア２４の下流側の所定位置には直前にバーコードリーダ２５が配置されたカタログ作製機２３が配置されている。カタログ作製機２３は、バーコードリーダ２５で読み取った製品箱２０のラベル２１の箱番号からこれと対応して記憶している農産物Ｗの情報を読み出して、この農産物Ｗの情報を印字したカタログ（整理票）を作製するためのもので、このカタログ作製機２３で作製されたカタログが、製品箱２０内に収容された後に製品箱２０の蓋が閉じられるようになっている。このカタログ作製機２３は、カタログの収容が不要な農産物Ｗの場合にはその配置を省略することができる。
【００３５】
なお、図示しないラベル貼付機により、内部に箱詰めされている農産物Ｗの荷口情報や仕分情報をラベル２１に印字して製品箱２０の例えば側面に貼付することができ、この貼付されたラベル２１によって、製品箱搬送コンベア２４上から市場等の間において、製品箱２０の外部から内部に収容されている農産物Ｗの所定の情報が取得（把握）できることになる。このラベル貼付機としては、印字したラベル２１を貼付する機構に限らず、製品箱２０にラベル内容を直接印字する構成であっても良い。
【００３６】
前記箱詰装置７は、図２に示すように、貯留コンベア６の搬送方向ロと直交する方向に配置されたレール２７に沿って移動可能に配置されると共に、幅方向（レール２７方向）及び幅方向と直交する方向に移動可能で上下動可能な例えばパンタグラフ式の一列複数の吸着盤（図示せず）を有している。そして、この各吸着盤は、レール２７に沿って移動しつつ、搬送コンベア３３の下流側に設けられた箱詰待機コンベア２８のトレイ２上の農産物Ｗを一括吸着して取り上げると共に、箱詰位置にセットされている製品箱２０方向に移動することにより、吸着した農産物Ｗを製品箱２０のトレイパック２９の各凹部内に収容（箱詰め）するようになっている。
【００３７】
また、この箱詰装置７と貯留コンベア６との間、すなわち前記箱詰位置と貯留コンベア６の下流側に設けられた複数台（図では４台）のトレイパック載置台３０との間には、トレイパック供給装置３１が配置されている。このトレイパック供給装置３１は、一対のアームの先端部下面に上下動可能に配置された吸着盤３４等を有し、この吸着盤３４がレール３２に沿って移動可能で図２の矢印ハの如くレール３２の一側から他側に向けて平面内で回動可能に配置されることにより、各トレイパック載置台３０上の所定のトレイパック２９を吸着して取り上げると共に、このトレイパック２９を箱詰位置にセットされている製品箱２０に嵌装するようになっている。
【００３８】
なお、前記箱詰位置は１列複数条（図では６条）の貯留コンベア６に対して、２箇所設けられると共に、農産物入りトレイ２が待機される箱詰待機コンベア２８等も２条並設されており、これにより、箱詰作業の能率向上が図られると共に、複数のトレイパック載置台３０を配置することで、各種の農産物Ｗに適用できるようになっている。この箱詰装置７やトレイパック供給装置３１としては、この例に限定されず、他の適宜構成の装置を使用できる。
【００３９】
次に、この農産物選別施設１における動作及び各種情報の管理方法の一例を図３のフローチャートに基づいて説明する。なお、図３及び図４において、Ｓ１はデータベース１６の動作を、Ｓ２は荷口情報入力装置１３の動作を、Ｓ３は演算処理装置１４の動作を、Ｓ４は仕分制御装置１５の動作を、Ｓ５は箱詰制御装置１８の動作を示しており、以下、Ｓ２〜Ｓ５の動作をＳ１の動作に絡めて順番に説明する。
【００４０】
＜荷口情報入力装置１３の動作Ｓ２＞
農産物選別施設１に所定の生産者から所定数の農産物Ｗが搬入されると、前記操作盤１７によって、生産者名、収穫日、選果日（搬入日）、ほ場、品種あるいは品目、個数等の荷口に関する情報（荷口情報）が入力操作され、この荷口情報が荷口情報入力装置１３に入力される（Ｓ２１１）と共に、選別コンベア３の供給コンベア３ａ、３ｂに投入されるトレイ２のバーコードがバーコードリーダ９で読みとられて（Ｓ２１２）てトレイ番号が取得される。そして。トレイ番号が取得されると、このトレイ番号と荷口情報とをデータベース１６に送信（Ｓ２１３）し、トレイ番号と荷口情報をデータベース１６の記憶部１６ａに登録（Ｓ１１１）する。
【００４１】
この登録（記憶）は、例えば図５に示すように、データベース１６の記憶部１６ａの書き込みデータの荷口情報欄１６ａ−２とアドレス欄（トレイ番号欄）１６ａ−１に、トレイ番号と荷口情報とを対応させて、例えばトレイ番号が「０００１」の場合、該トレイ２に載せられた農産物Ｗの生産者が生産者Ａであるとして記憶する。なお、図５の例では、説明の便宜上、荷口情報として生産者名のみを記載しているが、各トレイ２のトレイ番号に対応して前述した各種の荷口情報が記憶されることは言うまでもない。
【００４２】
＜演算処理装置１４の動作Ｓ３＞
選別コンベア３の供給コンベア３ａ、３ｂ上の農産物Ｗ入りトレイ２が、各供給コンベア３ａ、３ｂによって下流側に搬送されて計測位置まで搬送されると、バーコードリーダ１０でトレイ３のバーコードが読み取られ（Ｓ３１１）、このバーコードリーダ１０で読み取られたトレイ２の農産物Ｗが計測装置４で計測（Ｓ３１２）される。そして、この計測データがバーコードリーダ１０で読み取ったトレイ番号と対応して演算処理装置１４に入力され、該演算処理装置１４で計測データが演算処理されて農産物Ｗの等級・階級が判定（Ｓ３１３）される。この計測装置４で判定された等級・階級（仕分情報）は、データベース１６に送信されて該データベース１６の記憶部１６ａに登録（Ｓ１１２）されると共に、仕分制御装置１５に送信される。
【００４３】
このデータベース１６の記憶部１６ａへの登録は、例えば図５に示すように、前記トレイ番号が「０００１」の場合、仕分情報欄１６ａ−３に該トレイ２上に載せられた農産物Ｗの階級が「Ｌ」で等級が「秀」であると記憶される。これにより、前記演算処理装置１４で判定された仕分情報が、当該農産物入りトレイ２のトレイ番号に一対一で対応した状態で記憶部１６ａに書き込まれて登録（記憶）されることになる。なお、図５には図示しないが記憶部１６ａの仕分情報欄もしくは他の適宜の欄に、階級や等級以外に計測装置４で得られた例えば農産物Ｗの糖度等の各種計測情報を記憶するようにしても良い。
【００４４】
＜仕分制御装置１５の動作Ｓ４＞
仕分制御装置１５は、演算処理装置１４によりそれぞれ対応したトレイ番号と仕分情報等が送信されると、これをその仕分情報記憶部（図示せず）に記憶（Ｓ４１１）し、仕分位置に搬送されてくる農産物入りトレイ２のバーコードをバーコードリーダ１１で読み取り（Ｓ４１２）、この読み取ったトレイ番号に対応した仕分情報を仕分情報記憶部から読み出す（Ｓ４１３）。そして、この仕分情報に応じた仕分排出信号を所定の排出装置５に出力して当該排出装置５を作動させ、農産物入りトレイ２を所定の貯留コンベア６上に排出（Ｓ４１４）する。
【００４５】
貯留コンベア６上に農産物入りトレイ２が排出されると、仕分制御装置１５の集積状態記憶部（図示せず）に各貯留コンベア６毎に排出されたトレイ番号を記憶（Ｓ４１５）し、農産物入りトレイ２が所定数排出されたか否か、すなわち貯留コンベア６の下流側に所定数の農産物入りトレイ２が集積されたか否かが判断（Ｓ４１６）される。この判断Ｓ４１６が「ＹＥＳ」となった時点で、箱詰指示信号（箱詰指示番号）と該指示信号に対応した所定集積数のトレイ番号とを、仕分制御装置１５の集積状態記憶部（図示せず）に記憶（Ｓ４１７）し、この箱詰指示信号（箱詰指示番号）を箱詰制御装置１８に送信（Ｓ４１８）する。この時、箱詰指示信号（箱詰指示番号）としては、図６に示すように、前記箱詰装置７により箱詰めする際の一箱詰め単位個数のトレイ番号を組とし、かつ順番に固有番号を付けた信号（図では００１、００２・・）等が使用され、箱詰指示信号と箱詰指示番号を組み合わせることで、貯留コンベア６上でプールされる農産物トレイ２の数が、１箱詰単位数となる階級か２箱詰単位数となる階級かを区別できるようにしている。
【００４６】
この箱詰指示信号により、当該箱詰指示信号に含まれるトレイ番号の農産物入りトレイ２が、貯留コンベア６の終端部に連結された搬送コンベア３３上に送り出され、当該搬送コンベア３３を下流側に搬送されてその箱詰待機コンベア２８上で待機され、この待機されているトレイ２上の農産物Ｗが箱詰装置７で箱詰めされることになる。なお、各箱詰指示信号のトレイ番号は、貯留コンベア６上に排出されるトレイ２の順番に応じて設定されており、所定のトレイ２上の農産物Ｗが製品箱２０のどの区画位置に箱詰めされたか（区画位置情報）検索できるようになっている。
【００４７】
そして、仕分制御装置１５は、箱詰指示信号の送信後に、その集積状態記憶部から箱詰指示信号（箱詰指示番号）に対応したトレイ番号を読み出すと共に、このトレイ番号と後述する箱詰制御装置１８から送信される製品箱２０の箱番号とを対応させてデータベース１６に送信（Ｓ４１９）して、データベース１６の記憶部１６ａにトレイ番号と箱番号を登録（Ｓ１１３）する。この時の登録は、例えば図５に示すように、トレイ番号０００１に載せられた農産物Ｗが箱番号００１の箱に箱詰めさたれ場合は、アドレス欄１６ａ−１が「０００１」の箱番号欄１６ａ−４に「００１」として登録されることになる。
【００４８】
＜箱詰制御装置１８の動作Ｓ５＞
箱詰制御装置１８は、仕分制御装置１５から箱詰指示信号が入力されると、当該箱詰指示信号に基づいて箱詰装置７を作動させて箱詰めを行い（Ｓ５１１）、箱詰位置に配置されているバーコードリーダ２５で箱番号を読み取る（Ｓ５１２）と共に、この箱番号と箱詰指示番号を箱詰完了信号と共に仕分制御装置１５に送信（Ｓ５１３）する。そして、前記ステップＳ４１９で箱番号をトレイ番号と対応（リンク）させる。そして、所定の箱詰指示信号による箱詰装置７の作動で、所定の箱詰め作業が例えば繰り返し行われて箱詰め作業が完了する。
【００４９】
なお、データベース１６は、Ｓ１１１で荷口情報入力装置１３からのトレイ番号と荷口情報の受信により、トレイ番号と荷口情報を対応させて登録すると共に、Ｓ１１２で演算処理装置１４からの仕分情報とトレイ番号の受信により、トレイ番号と仕分情報とを対応させて登録し、さらに、Ｓ１１３で仕分制御装置１５からのトレイ番号と箱番号の受信により、トレイ番号と箱番号とを対応させて登録する。これにより、トレイ番号と荷口情報と仕分情報及び箱番号がデータベース１６の記憶部１６ａに登録（Ｓ１１４）されることになり、その形態としては、例えば図５に示す形態となる。
【００５０】
そして、このようにしてトレイ番号毎に各種情報が記憶部１６ａに記憶された農産物Ｗが箱詰めされた製品箱２０は、箱詰装置７（もしくは手詰め部８）から製品箱搬送コンベア２４上に供給される。この製品箱２０は、製品箱搬送コンベア２４を下流側に搬送されて製品箱２０のラベル２１のバーコード（箱番号）がバーコードリーダ２５で読み取られ、その情報に基づいて、カタログ作製機２３によってカタログが作製される。また、製品搬送コンベア２４上で、図示しないラベル貼付機により製品箱２０内に収容されている農産物Ｗの荷口情報や仕分情報が製品箱２０の側面に直接あるいはラベルにして貼り付ける場合もある。
【００５１】
この時、カタログ作製機２３は、バーコードリーダ２５でラベルを読み取った箱番号に対応した各種情報をデータベース１６から読み込み、この各種情報に基づいて製品箱２０内に収容されている農産物Ｗに関する各種情報を印刷したカタログを作製する。このカタログに印刷される情報としては、農産物選別施設１の名称や産地名、予め生産者毎に記憶してある生産者の一言等の生産者の紹介、農産物Ｗの等級・階級等が使用される。なお、製品箱２０内に複数の生産者の農産物Ｗが混在している場合は、農産物Ｗの収容位置（区画位置）と生産者等の各種情報とが一対一に対応できるようなカタログが作製され、このカタログにより、製品箱２０を開封した際に開封作業者が各収容位置に収容されている農産物Ｗの各種情報（区画位置情報等）を明確に把握できることになる。
【００５２】
そして、農産物選別施設１内において、荷口情報や仕分情報及び箱情報が対応して所定の記憶部に記憶されて情報管理され（すなわち各種情報が記憶管理され）、その側面にラベル２１が貼付されたり内部にカタログ等が収容された製品箱２０は、農産物選別施設１からトラック等に積載されて市場等に運搬・輸送され、市場において製品箱２０が開封される。この農産物選別施設１から市場への輸送・運搬時に、ラベル２１によって内部の農産物Ｗの情報が取得され、また、市場で製品箱２０が開封された際には、カタログによって農産物Ｗの情報が取得され、この時、製品箱２０内の農産物Ｗに何らかの不具合が発生した場合には、ラベル２１の情報やカタログの情報（これらに印刷されているＵＲＬ等）を元に、インターネットでデータベース１６にアクセスすること等により、詳しい荷口情報や仕分情報が得られ、特に、製品箱２０内の収容区画位置毎に情報管理されていることから、個々の農産物Ｗの情報が確実に所得されることになる。
【００５３】
このように、上記実施形態の情報管理装置１２にあっては、データベース１６の記憶部１６ａに、各バーコードリーダ９〜１１で読みとったトレイ番号と、荷口情報入力装置１３で入力された荷口情報、及び計測装置４で計測された仕分情報、箱詰制御装置１８のバーコードリーダ１９で読み取った製品箱２０の箱番号とが対応した状態で記憶されつつ箱詰装置７等で箱詰めされるため、生産者別に農産物選別施設１に持ち込まれた農産物Ｗを選別仕分した後に所定の分類で箱詰めし、該箱詰めされた農産物Ｗについて製品箱２０単位で収容情報を管理することができて、選別施設１から市場等に出荷された後に、製品箱２０に関する情報から内部に収容されている農産物Ｗの荷口情報等を簡単に取得でき、農産物Ｗの選別・出荷から消費までの間で効率的な情報管理が可能となる。
【００５４】
その結果、例えば消費者の声等を農産物Ｗの生産活動に的確に反映することができると共に、製品箱２０内の農産物Ｗの生産履歴を追跡することにより、生産者と消費者との信頼関係が増すことから、消費者が安心して農産物Ｗを購入できて、農産物Ｗに新たな付加価値を与えることが可能となり、かつ、製品箱２０単位で農産物Ｗの情報を管理することで、情報管理を簡素な構成で行うことができる。
【００５５】
また、箱詰情報管理装置１８の記憶部に、製品箱２０毎の箱番号と製品箱２０内の区画位置情報と農産物Ｗの仕分情報とを対応させて記憶することができるため、製品箱２０の箱番号から、製品箱２０内の所定の区画位置に収容されている農産物Ｗの荷口情報等を容易かつ確実に取得することができて、製品箱２０内の農産物Ｗの情報をより一層正確に所得することが可能となる。
【００５６】
さらに、情報管理装置１２の仕分制御装置１５から、箱詰指示信号が箱詰情報管理装置１８に送信されることにより、箱詰装置７によって箱詰め作業が行われるため、製品箱２０の各区画位置に収容される各農産物Ｗの荷口情報等を一対一で管理することができて、例えば製品箱２０内の所定の区画位置に収容されている農産物Ｗの荷口情報等を容易に取得することができると共に、一括して同時に箱詰される複数個のトレイ２のトレイ番号を一括処理できて、箱詰め作業の制御の簡略化を図ることが可能となる。
【００５７】
また、製品箱２０の区画位置情報に基づいて、製品箱２０内の農産物Ｗの仕分情報及び荷口情報等をカタログとして作製するカタログ作製機２３を配置するようにすれば、このカタログ作製機２３で作製されるカタログにより、製品箱２０内の所定の区画位置に収容されている農産物Ｗの荷口情報等を一層容易にかつ確実に取得することができて、一層効率的な農産物Ｗの情報管理が可能となる。
【００５８】
図７及び図８と図９〜図１１は、本発明に係わる情報管理装置の第２の実施形態と第３の実施形態を示す構成図及びフローチャートである。以下、上記第１の実施形態と同一部位には同一符号を付して説明する。先ず、図７に示す第２の実施形態の情報管理装置１２の特徴は、各貯留コンベア６の終端部に連結された搬送コンベア３３の所定位置にバーコードリーダ３５をそれぞれ配置し、仕分制御装置１５からの箱詰指示信号に基づき、バーコードリーダ３５で箱詰待機コンベア２８上に待機される複数の農産物入りトレイ２のトレイ番号を検出（計数）すると共に、これら複数のトレイ２上の農産物Ｗが箱詰めされる製品箱２０の箱番号をバーコードリーダ１９で読み取り、この箱番号とトレイ番号とを対応させて記憶するようにしたものである。
【００５９】
この情報管理装置１２の動作は、図８に示すように動作する。なお、データベース１６、荷口情報入力装置１３及び演算処理装置１４の動作（Ｓ１〜Ｓ３）は、図３と同一であるためその図示を省略する。
【００６０】
＜仕分制御装置１５の動作Ｓ４＞
バーコードリーダ１１がトレイ番号を読み取る（Ｓ４２１）と、このトレイ番号に対応した仕分情報をデータべース１６から読み出し（Ｓ４２２）、仕分制御部１５に接続された排出位置設定部１５ａで設定されている所定の貯留コンベア６の排出装置５に仕分排出信号を出力（Ｓ４２３）する。この仕分排出信号により、農産物入りトレイ２が貯留コンベア６上に排出（Ｓ４２４）され、集積個数が所定数が否かが判断（Ｓ４２５）される。そして、この判断Ｓ４２５で「ＹＥＳ」になると、箱詰指示信号が箱詰制御装置１８に送信（Ｓ４２６）され、この箱詰制御装置１８の制御信号により箱詰装置７が所定の動作を行う（Ｓ５２１）。
【００６１】
また、箱詰指示信号を出力すると、バーコードリーダ３５によりトレイ番号が読み取られ（Ｓ４２７）、この読み取ったトレイ番号とバーコードリーダ１９で読み取った箱番号とをデータベース１６に送信（Ｓ４２８）する。なお、箱詰制御装置１８は、箱詰指示信号を受信した際に、該指示信号に基づいて箱詰め作業を行い（Ｓ５２１）、バーコードリーダ１９で箱詰めした製品箱２０の箱番号を読み取って（Ｓ５２２）仕分制御装置１５に送信し、箱詰装置７を所定に動作させて箱詰め作業を完了（Ｓ５２３）する。
【００６２】
つまり、この実施形態の場合は、貯留コンベア６に仕分排出されて貯留されているトレイ２のうち、箱詰指示信号に対応した所定数の農産物入りトレイ２が搬送コンベア３３を介して箱詰待機コンベア２８上に供給されるが、この時のトレイ２のトレイ番号をバーコードリーダ３５で読み取り、バーコードリーダ１９で読み取った箱番号と対応して記憶されることになる。
【００６３】
この第２の実施形態においても、データベースの記憶部１６ａのアドレス欄１６ａ−１、荷口情報欄１６ａ−２、仕分情報欄１６ａ−３及び箱番号欄１６ａ−４に、トレイ番号と荷口情報、仕分情報及び箱番号が対応して記憶されるため、上記第１の実施形態と同様の作用効果が得られる他に、貯留コンベア６上に仕分排出された農産物入りトレイ２のトレイ番号がバーコードリーダ３５で読み取られて箱詰指示信号に使用されることから、箱詰されるトレイ番号と箱番号の対応を一層確実に行うことができるという作用効果が得られる。
【００６４】
また、図９に示す第３の実施形態の情報管理装置１２の特徴は、第１及び第２の実施形態においては、トレイ２に読み取り専用のバーコード（トレイ情報）を付与し、このバーコードに荷口情報や仕分情報及び箱情報を対応させてデータベース１６の記憶部１６ａに記憶させるようにしたが、トレイ２に書き込み可能な記憶媒体３６（例えばＩＣカードＩＣタグ）を付設し、この記憶媒体３６を利用して製品箱２０等を記憶管理するようにした点にある。
【００６５】
すなわち、各トレイ２にバーコードに代えて記憶媒体３６を付設すると共に、前記バーコードリーダ９に代えて書き込み装置３７を配置し、荷口情報は書き込み装置３７を介して各トレイ２の記憶媒体３６に記憶させ、計測装置４から得られる仕分情報は書き込み装置３８を介して各トレイ２の記憶媒体３６に記憶させる。これにより、選別コンベア３の仕分位置に供給される各トレイ２の記憶媒体３６には、当該記憶媒体３６を識別するトレイ番号と荷口情報及び仕分情報が対応して記憶され、これが仕分用の読取装置１１で読み取られてデータベース１６の記憶部１６ａに記憶されたり、所定の貯留コンベア６上に仕分排出されて、例えば第２の実施形態と同様に、読取装置３５で箱詰めされる農産物入りトレイ２のトレイ番号が読み取られ、このトレイ番号と箱番号が対応してデータベース１６に記憶されることになる。図１０及び図１１はこの情報管理装置１２の動作を示しており、各部の動作は次のようになる。
【００６６】
＜荷口情報入力装置１３の動作Ｓ２＞
荷口情報入力装置１３は、操作盤１７で荷口情報が入力操作（Ｓ２３１）されると、この情報を書き込み装置３７を介して各トレイ２の記憶媒体３６に書き込んで（Ｓ２３２）記憶させる。
【００６７】
＜演算処理装置１４の動作Ｓ３＞
演算処理装置１４は、計測装置４によりトレイ２上の農産物Ｗが計測（Ｓ３３１）されると、その計測結果から当該農産物Ｗの等級・階級（仕分情報）を判定（Ｓ３３２）し、この判定結果に基づく仕分情報を書き込み装置３８を介して当該トレイ２の記憶媒体３６に書き込んで（Ｓ３３３）記憶させる。
【００６８】
＜仕分制御装置１５の動作Ｓ４＞
仕分制御装置１５は、読取装置１１で農産物入りトレイ２の記憶媒体３６のトレイ番号を読み取ると、記憶媒体３６からそのトレイ番号に対応した仕分情報を読み出し（Ｓ４３１）、所定の排出装置に仕分排出信号を出力（Ｓ４３２）する。この排出信号により所定の排出装置５が作動してその貯留コンベア６上に農産物入りトレイ２が排出（Ｓ４３３）され、集積個数が所定数か否かが判断（Ｓ４３４）される。
【００６９】
そして、この判断Ｓ４３４で「ＹＥＳ」となった場合に、箱詰指示信号を箱詰制御装置１８に送信（Ｓ４３５）すると共に、所定数集積された各トレイ２の記憶媒体３６から荷口情報と仕分情報を読み取る（Ｓ４３６）。そして、この読み取ったトレイ番号と対応する荷口情報及び仕分情報に、箱詰制御装置１８から送信される箱番号を対応させてデータベース１６に送信（Ｓ４３７）する。この送信されたデータがデータベース１６の記憶部１６ａに登録（Ｓ１３１）されることになる。
【００７０】
＜箱詰制御装置１８の動作Ｓ５＞
箱詰制御装置１８は、箱詰指示信号を受信した際に、該指示信号に基づいて箱詰め作業を行い（Ｓ５３１）、バーコードリーダ１９で箱詰めした製品箱２０の箱番号を読み取って（Ｓ５３２）仕分制御装置１５に送信し、箱詰装置７を所定に動作させて箱詰め作業を完了（Ｓ５３３）する。
【００７１】
つまり、この第３の実施形態は、選別コンベア３上で使用されるトレイ２に記憶媒体３６をそれぞれ付設し、この記憶媒体３６に各種情報を書き込んだり読み出すことで、各トレイ番号に荷口情報や仕分情報及び箱番号を対応させることができることになる。この第３の実施形態においても、トレイ番号に各種情報を対応させつつデータベース１６等に記憶させることができて、上記第１の実施形態と同様の作用効果を得られる他に、選別コンベア３上の各処理をそのトレイ２の記憶媒体３６に記憶させて最後にデータベース１６に送信記憶させるだけで良いことから、各種情報の記憶のための制御が簡略化できるという作用効果が得られる。また、各トレイ２に設けた記憶媒体３６に記憶されている情報を、読み取り装置により農産物選別施設１のライン上で読み取りできるようにすれば、該施設１内における情報管理が一層効率的に行えるという作用効果も得られる。
【００７２】
なお、上記各実施形態においては、荷口情報と仕分情報及び箱番号をデータベース１６の記憶部１６ａにトレイ番号（トレイ情報）に対応させて記憶させたが、これらの情報にさらにトレイ２上の農産物Ｗに貼付される個体ラベルの情報を対応させて記憶させることもでき、このようにすれば、製品箱２０内に収容されている個々の農産物Ｗにも個体ラベルが貼付されていることから、この個体ラベルに基づく各種情報の追跡が容易かつ正確に行えることになる。また、上記実施形態における各種情報を記憶（登録）するデータベース１６の記憶部１６ａの形態としては、図示した例に限定されず、他の適宜の記憶形態の記憶部をデータベース１６上や各装置上に構築することもできる。
【産業上の利用可能性】
【００７３】
本発明は、図示したレイアウトや構成の農産物選別施設への適用に限らず、各種農産物を選別して箱詰め出荷する他の適宜のレイアウトや構成の農産物選別施設に適用することができる。
【図面の簡単な説明】
【００７４】
【図１】本発明に係わる情報管理装置を使用した農産物選別施設の概略構成図
【図２】同箱詰装置部分を拡大して示す構成図
【図３】同動作を示すフローチャート
【図４】同動作を示す他のフローチャート
【図５】同記憶部の記憶状態を示す説明図
【図６】同箱詰指示番号の説明図
【図７】本発明に係わる他の情報管理装置を使用した農産物選別施設の概略構成図
【図８】同その動作を示すフローチャート
【図９】本発明に係わるさらに他の情報管理装置を使用した農産物選別施設の概略構成図
【図１０】同その動作を示すフローチャート
【図１１】同その動作を示す他のフローチャート
【符号の説明】
【００７５】
１・・・・・・・・・・農産物選別施設
２・・・・・・・・・・トレイ
３・・・・・・・・・・選別コンベア
４・・・・・・・・・・計測装置
５・・・・・・・・・・排出装置
６・・・・・・・・・・貯留コンベア
７・・・・・・・・・・箱詰装置
９〜１１・・・・・・・バーコードリーダ
１２・・・・・・・・・情報管理装置
１３・・・・・・・・・荷口情報入力装置
１４・・・・・・・・・演算処理装置
１５・・・・・・・・・仕分制御装置
１６・・・・・・・・・データベース
１６ａ・・・・・・・・記憶部
１７・・・・・・・・・操作盤
１８・・・・・・・・・箱詰制御装置
１９・・・・・・・・・バーコードリーダ
２０・・・・・・・・・製品箱
２１・・・・・・・・・ラベル
２３・・・・・・・・・カタログ作製機
２４・・・・・・・・・製品搬送コンベア
２５・・・・・・・・・バーコードリーダ
３１・・・・・・・・・トレイパック供給装置
３５・・・・・・・・・バーコードリーダ
３６・・・・・・・・・記憶媒体
３７、３８・・・・・・書き込み装置
【図１】
2005125242.tif 000003
【図２】
2005125242.tif 000004
【図３】
2005125242.tif 000005
【図４】
2005125242.tif 000006
【図５】
2005125242.tif 000007
【図６】
2005125242.tif 000008
【図７】
2005125242.tif 000009
【図８】
2005125242.tif 000010
【図９】
2005125242.tif 000011
【図１０】
2005125242.tif 000012
【図１１】
2005125242.tif 000013